(57)【要約】【課題】コンテンツの再生中にそのコンテンツの視聴期限が超過した場合に記録媒体を引き抜くと、視聴期限が終了しているにもかかわらず復号鍵が記録媒体上に残存してしまう。【解決手段】視聴期限の超過を判定する視聴期限判定部３０１と、復号鍵１０４を一時保存する復号鍵一時保存部１０６と、記録媒体１０２から復号鍵を復号鍵一時保存部に移動し、その復号鍵を記録媒体上に復帰させる復号鍵移動部１１１と、復号鍵の移動および復帰を制御するコンテンツ保護制御部３０２と、復号鍵を用いてコンテンツ１０３を再生するコンテンツ再生部３０５とを備える。コンテンツ保護制御部は、再生開始指示を受けると、復号鍵移動部によって復号鍵を記録媒体から復号鍵一時保存部へ移動させ、コンテンツの再生が終了した際に、視聴期限を超過していなければ復号鍵を記録媒体上に復帰させ、視聴期限を超過していれば復号鍵を記録媒体上に復帰させないように制御する。【選択図】図２
2011109444.tif 000002
【特許請求の範囲】
【請求項１】
視聴期限情報を伴う暗号化されたコンテンツおよび前記コンテンツを復号する復号鍵が記録された記録媒体が再生装置に挿入される場合における前記コンテンツの保護方法であって、
前記記録媒体が前記再生装置に挿入されてから、前記視聴期限もしくは前記視聴期限後所定期間経過するまで、の間に、前記記録媒体から前記復号鍵を前記再生装置上に移動する復号鍵退避ステップと、
所定のイベントが発生した際に、前記視聴期限もしくは前記視聴期限後前記所定期間経過時点を超過していなければ、前記復号鍵を前記記録媒体上に復帰させ、前記視聴期限もしくは前記視聴期限後前記所定期間経過時点を超過していれば、前記復号鍵を前記記録媒体上に復帰させない復号鍵復帰ステップと、を備えたコンテンツの保護方法。
【請求項２】
前記復号鍵を移動するとは、前記記録媒体上の前記復号鍵を前記再生装置上に複写し、前記記録媒体上の前記復号鍵を無効化することであり、
前記復号鍵を復帰させるとは、前記無効化した前記記録媒体上の前記復号鍵を有効化することである、請求項１に記載のコンテンツの保護方法。
【請求項３】
前記復号鍵退避ステップでは、前記復号鍵の移動は、前記コンテンツを再生開始する際に実行される、請求項１に記載のコンテンツの保護方法。
【請求項４】
前記復号鍵退避ステップでは、前記復号鍵の移動は、前記視聴期限もしくは前記視聴期限後前記所定期間経過時点に達した際に実行される、請求項１に記載のコンテンツの保護方法。
【請求項５】
前記復号鍵退避ステップでは、前記復号鍵の移動を行うことに代えて、前記視聴期限もしくは前記視聴期限後前記所定期間経過時点に達した際に、前記記録媒体の前記復号鍵を無効化する、請求項１に記載のコンテンツの保護方法。
【請求項６】
前記所定のイベントとは、前記コンテンツの再生動作を完了すること、前記再生動作の完了後に前記記録媒体が前記再生装置から外されること、または前記コンテンツの再生中に再生中断指示があることである、請求項１に記載のコンテンツの保護方法。
【請求項７】
前記復号鍵復帰ステップにおいて、前記所定のイベントが発生した際に、前記視聴期限を超過していれば、前記再生装置上の前記復号鍵を無効化する、請求項１に記載のコンテンツの保護方法。
【請求項８】
前記復号鍵復帰ステップにおいて、前記所定のイベントが発生していなくても、前記コンテンツの再生中に前記視聴期限が超過した場合には、前記再生装置上の前記復号鍵を無効化する、請求項７に記載のコンテンツの保護方法。
【請求項９】
前記コンテンツの再生中に前記視聴期限が超過した場合でも、前記コンテンツの再生動作が終了するまでの間は継続して復号再生動作が行われる、請求項８に記載のコンテンツの保護方法。
【請求項１０】
前記視聴期限情報が最初の視聴開始時点からの視聴可能な時間の長さを表す場合には、前記再生装置は、利用可能な時刻源を参照して前記時間の長さを再生可能終了時刻に変換する、請求項１に記載のコンテンツの保護方法。
【請求項１１】
前記再生装置が前記記録媒体から前記視聴期限情報を読み出せない、または読み出した前記視聴期限情報が使用できない場合には、前記コンテンツを前記記録媒体上から消去する、または、前記コンテンツを前記記録媒体上から消去せずに再生対象コンテンツとしてはユーザに提示しない、請求項１に記載のコンテンツの保護方法。
【請求項１２】
視聴期限情報を伴う暗号化されたコンテンツおよび前記コンテンツを復号する復号鍵が記録された記録媒体が挿入されるコンテンツ再生装置であって、
所定のイベントの発生を検知するイベント検知部と、
前記視聴期限情報を現在時刻と比較することにより、前記視聴期限を超過しているか否かを判定する視聴期限判定部と、
前記復号鍵を一時保存する復号鍵一時保存部と、
前記記録媒体から前記復号鍵を前記復号鍵一時保存部に移動し、前記復号鍵一時保存部に移動した前記復号鍵を前記記録媒体上に復帰させる復号鍵移動部と、
前記復号鍵の前記移動および前記復帰を制御するコンテンツ保護制御部と、
前記復号鍵を用いて前記コンテンツを復号して再生するコンテンツ再生部を備え、
前記コンテンツ保護制御部は、前記視聴期限判定部の判定結果および前記イベント検知部の検知結果を利用して、
前記記録媒体が挿入されてから、前記視聴期限もしくは前記視聴期限後所定期間経過するまで、の間に、前記復号鍵移動部によって、前記復号鍵を前記記録媒体から前記復号鍵一時保存部へ移動させ、
前記所定のイベントの発生が検知された際に、前記視聴期限もしくは前記視聴期限後前記所定期間経過時点を超過していなければ、前記復号鍵移動部によって前記復号鍵を前記記録媒体上に復帰させ、前記視聴期限もしくは前記視聴期限後前記所定期間経過時点を超過していれば、前記復号鍵を前記記録媒体上に復帰させないように制御する、コンテンツ再生装置。
【請求項１３】
前記コンテンツ保護制御部は、前記コンテンツ再生部が前記コンテンツを再生開始する際に、前記復号鍵移動部によって前記復号鍵を移動させる、請求項１２に記載のコンテンツ再生装置。
【請求項１４】
前記コンテンツ保護制御部は、前記視聴期限判定部によって前記視聴期限もしくは前記視聴期限後前記所定期間経過時点に達したと判定された際に、前記復号鍵移動部によって前記復号鍵を移動させる、請求項１２に記載のコンテンツ再生装置。
【請求項１５】
前記コンテンツ保護制御部は、前記復号鍵移動部によって前記復号鍵を前記記録媒体から前記復号鍵一時保存部へ移動させることに代えて、前記視聴期限もしくは前記視聴期限後前記所定期間経過時点に達した際に、前記復号鍵移動部によって前記記録媒体の前記復号鍵を無効化させる、請求項１２に記載のコンテンツ再生装置。
【請求項１６】
前記所定のイベントとは、前記コンテンツ再生部が前記コンテンツの再生動作を完了すること、前記再生動作の完了後に前記記録媒体が前記コンテンツ再生装置から外されること、または前記コンテンツ再生部が前記コンテンツを再生中に再生中断指示があることである、請求項１２に記載のコンテンツ再生装置。
【請求項１７】
前記コンテンツ保護制御部は、前記イベント検知部によって前記所定のイベントの発生が検知された際に、前記視聴期限を超過していれば、前記復号鍵移動部によって前記復号鍵一時保存部に保存している前記復号鍵を無効化させる、請求項１２に記載のコンテンツ再生装置。
【請求項１８】
前記コンテンツ保護制御部は、前記イベント検知部によって前記所定のイベントの発生が検知されていないときでも、前記コンテンツ再生部が前記コンテンツを再生中に前記視聴期限判定部によって前記視聴期限が超過したと判定された場合には、前記復号鍵移動部によって前記復号鍵一時保存部に保存している前記復号鍵を無効化させる、請求項１７に記載のコンテンツ再生装置。
【請求項１９】
前記コンテンツ再生部は、前記コンテンツの再生中に前記視聴期限が超過したと判定された場合でも、前記コンテンツの再生動作が終了するまでの間は継続して復号再生動作を行う、請求項１８に記載のコンテンツ再生装置。
【請求項２０】
前記視聴期限情報が最初の視聴開始時点からの視聴可能な時間の長さを表す場合には、前記視聴期限判定部は、前記現在時刻を利用して前記時間の長さを再生可能終了時刻に変換する、請求項１２に記載のコンテンツ再生装置。
【請求項２１】
前記コンテンツ保護制御部は、前記記録媒体から前記視聴期限情報を読み出せない、または読み出した前記視聴期限情報が使用できない場合には、前記コンテンツを前記記録媒体上から消去する、または、前記コンテンツを前記記録媒体上から消去せずに再生対象コンテンツとしてはユーザに提示しないように制御する、請求項１２に記載のコンテンツ再生装置。
【請求項２２】
請求項１に記載のコンテンツの保護方法の、前記記録媒体から前記復号鍵を前記再生装置上に移動する前記復号鍵退避ステップ、および、所定のイベントが発生した際に、前記視聴期限もしくは前記視聴期限後前記所定期間経過時点を超過していなければ、前記復号鍵を前記記録媒体上に復帰させる前記復号鍵復帰ステップをコンピュータに実行させるプログラム。
【請求項２３】
請求項２２に記載のプログラムを記録したプログラム記録媒体であって、コンピュータにより処理可能なプログラム記録媒体。
【発明の詳細な説明】
【技術分野】
【０００１】
本発明は、着脱可能な記録媒体に視聴期限情報とともに書きこまれた暗号化コンテンツを再生する、コンテンツ再生装置およびコンテンツの保護方法等に関する。
【背景技術】
【０００２】
近年、インターネットの発達により、映画や音楽等をダウンロードして再生する技術が一般化しつつある。そして映画や音楽等のコンテンツ配信を行うサーバから、ＰＣ、ＡＶ機器、携帯電話やポータブル機器にネットワーク経由でコンテンツをダウンロードするサービスが多く提供されている。
【０００３】
この様なコンテンツ配信サービスの形態においては、ユーザが購入したコンテンツを永続的に視聴可能な売り切り型のコンテンツ販売と、ダウンロードしたコンテンツを限られた視聴期限の中で視聴することが可能なレンタル販売とがある。
【０００４】
典型的なダウンロード型のレンタル販売においては、コンテンツを供給するコンテンツ事業者がコンテンツサーバとＤＲＭサーバを運用し、視聴者側のコンテンツ受信機はコンテンツサーバから暗号化されたレンタルコンテンツをダウンロードするとともに、ＤＲＭサーバから暗号化コンテンツの復号鍵とコンテンツの視聴条件とを取得する。コンテンツの視聴条件の中には、当該コンテンツを視聴することが許される視聴期限情報や、コンテンツの複製条件などが含まれる。
【０００５】
コンテンツ受信機はレンタルコンテンツを再生する場合に、ＤＲＭサーバから指定された視聴期限情報を参照し、視聴期限が超過していなければ当該コンテンツの再生を開始し、視聴期限を超過していれば当該コンテンツの削除を実施する。また、コンテンツ受信機は、レンタルコンテンツを視聴期限情報とともにＳＤカードなどの着脱可能な記録媒体に書き出すこともあり、この場合もそのＳＤカードの再生装置は、レンタルコンテンツを再生しようとしたとき、または再生を終えたときに当該コンテンツの視聴期限が超過していれば、当該コンテンツを削除する。この種の視聴期限付きコンテンツの再生方法として例えば、特許文献１に記載されているようなものがあった。
【０００６】
図４は、ダウンロードしたレンタルコンテンツを視聴期限情報とともにＳＤカードに書き出すコンテンツ受信機を含む従来のコンテンツダウンロードシステムのブロック図である。
【０００７】
コンテンツ受信機５０２はネットワーク（図示せず）を介して、コンテンツ事業者の運営するコンテンツサーバ５００およびＤＲＭサーバ５０１にアクセスする。コンテンツ受信機５０２は別途ユーザが指定したレンタルコンテンツのダウンロードを実施するに際し、暗号化されたコンテンツ１１５をコンテンツサーバ５００からダウンロードするとともに、暗号化されたコンテンツ１１５の復号のためのコンテンツ鍵５０５および、暗号化コンテンツ１１５の視聴期限情報６００をＤＲＭサーバ５０１から取得する。
【０００８】
コンテンツ受信機５０２自身がコンテンツの再生を実施する際には、暗号化コンテンツ１１５の視聴期限が超過していないかを判定したのち、超過していなければコンテンツ鍵５０５を用いて暗号化されたコンテンツ１１５を復号してそのコンテンツを再生する。
【０００９】
以下、コンテンツ受信機５０２が受信したレンタルコンテンツであるところのコンテンツを、ＳＤカード１０２に書き出し、コンテンツ受信機５０２とは別のコンテンツ再生機２００で視聴を行うケースについて説明する。
【００１０】
コンテンツ受信機５０２はＤＲＭ復号部５０７において、暗号化されたコンテンツ１１５をコンテンツ鍵５０５を用いて復号するとともに、ＣＰＳ暗号化部５０８においてＳＤカード用のＣＰＳ（Contents Protection System）であるところのＣＰＲＭ（Contents Protection for Removable Media）形式で再度暗号化を実施し、再度暗号化したコンテンツ１０３をＳＤカード１０２に書き込むとともに、ＣＰＳ暗号の復号に用いるタイトル鍵１０４を暗号化コンテンツ１０３に関連付けて書き込む。また、コンテンツ受信機５０２の視聴条件変換部５０９は、ＤＲＭサーバ５０１から受信した暗号化コンテンツ１１５の視聴条件をＣＰＳ形式に変換し、ＣＰＳの視聴期限情報１０５として、暗号化コンテンツ１０３に関連付けてＳＤカード１０２に記録する。
【００１１】
図５は、従来の視聴期限付きコンテンツの再生方法を説明するための、ＳＤカードに記録されたコンテンツを再生する再生機のブロック図である。
【００１２】
再生機２００における再生制御部１１２は、ユーザからのコンテンツ再生指示（図示せず）を受け取ると、挿入されているＳＤカード１０２から、再生対象となる暗号化コンテンツ１０３の視聴期限情報１０５を読み出して視聴期限超過を判定するよう、視聴期限判定部１０７に指示する。
【００１３】
視聴期限判定部１０７は、ＳＤカード１０２上から暗号化コンテンツ１０３の視聴期限情報１０５を読み出し、時計１０１から取得した時刻情報と比較することによって、視聴期限が超過しているかどうかを判定し、判定結果を再生制御部１１２に返す。
【００１４】
この際、視聴期限判定部１０７は、視聴期限が超過していた場合には、ＳＤカード１０２上の暗号化コンテンツ１０３、視聴期限情報１０５および暗号化コンテンツ１０３のタイトル鍵１０４を削除する。
【００１５】
視聴期限判定部１０７からの判定結果を受け取った再生制御部１１２は、視聴期限が超過していない場合には、鍵読み出し部２０１に指示してＳＤカード１０２上のタイトル鍵１０４をコンテンツ復号部１０８にセットさせるとともに、コンテンツ復号部１０８に指示してコンテンツの再生を開始させる。この指示を受けたコンテンツ復号部１０８は、ＳＤカード１０２上の暗号化コンテンツ１０３を読み出し、タイトル鍵１０４で復号した結果の平文コンテンツをデコーダ１０９に出力する。デコーダ１０９は入力されたコンテンツをＡＶ信号に変換してＡＶ出力１１０として出力する。
【００１６】
また再生制御部１１２は、ユーザからの再生停止指示（図示せず）を受けるか、またはコンテンツの再生がコンテンツ終端に到達してコンテンツの再生を終える場合には、再び視聴期限判定部１０７に指示して視聴期限超過の判定を実施させる。この時点で視聴期限が超過していた場合には、視聴期限判定部１０７はＳＤカード１０２上の暗号化コンテンツ１０３、タイトル鍵１０４および視聴期限情報１０５を消去する。
【００１７】
このようにして、コンテンツ受信機５０２でダウンロードされＳＤカード１０２に記録されたコンテンツが、別の再生機２００で再生される。
【先行技術文献】
【特許文献】
【００１８】
【特許文献１】特開２００７−２５７６１６号公報
【発明の概要】
【発明が解決しようとする課題】
【００１９】
しかしながら上記従来の技術においては、ユーザがコンテンツの再生停止指示を行わずに、ＳＤカード１０２を再生機２００から引き抜いた場合に、本来削除されるべき暗号化コンテンツやそのコンテンツを復号するためのタイトル鍵がＳＤカード１０２上に残ってしまう、という課題があった。
【００２０】
すなわち、コンテンツの再生停止指示を行われずにＳＤカード１０２が再生機２００から引き抜かれた場合、再生機２００は再生終了時の視聴期限判定およびそれに付随するコンテンツ削除の判断処理を実施することができないままにＳＤカード１０２が再生機２００の制御下を離れてしまうため、再生終了時に視聴期限を超過しているコンテンツの削除処理を実行できない。
【００２１】
たとえば暗号化コンテンツ１０３の視聴期限情報１０５が２００９年９月２９日１９時００分までであり、暗号化コンテンツの再生長が２時間の長さであったとする。ユーザが暗号化コンテンツ１０３の再生指示を出した時刻が２００９年９月２９日１８時３０分であった場合には、視聴期限は超過していないので再生が開始されるが、２時間のコンテンツ視聴の後には２００９年９月２９日２０時３０分になっているはずであるので、本来であれば視聴終了時にこの暗号化コンテンツ１０３、タイトル鍵１０４および視聴期限情報１０５はＳＤカード１０２上から削除されるはずである。ここで、悪意のユーザが、暗号化コンテンツ１０３の再生開始から１時間５９分が経過した時点で、再生停止指示を行うことなくＳＤカード１０２を再生機２００から引き抜いた場合には、その時点で視聴期限が超過しているにもかかわらず暗号化コンテンツ１０３、タイトル鍵１０４および視聴期限情報１０５はＳＤカード１０２上に記録されたままとなる。このようなＳＤカード１０２は、海賊版コンテンツ業者などの悪意の解析の対象となって不正な複製コンテンツ流通の原因になったり、また、タイトル鍵１０４がＳＤカード１０２上に残存しているために、悪意はなくとも再生機器のプログラムミスによって視聴期限超過したコンテンツを誤って再生してしまう原因となり、コンテンツ権利者がコンテンツ事業者に付与した視聴権契約が遵守されず、ひいては健全なコンテンツ流通を妨げる原因となってしまう。
【００２２】
本発明は、上記従来のコンテンツ再生装置の課題を考慮して、記録媒体上に記録された視聴期限付きのコンテンツの再生中に視聴期限が経過した場合に、その記録媒体を再生装置から引き抜いても悪意の解析や誤再生を防止できる、コンテンツの保護方法およびコンテンツ再生装置等を提供することを目的とする。
【課題を解決するための手段】
【００２３】
上述した課題を解決するために、第１の本発明は、
視聴期限情報を伴う暗号化されたコンテンツおよび前記コンテンツを復号する復号鍵が記録された記録媒体が再生装置に挿入される場合における前記コンテンツの保護方法であって、
前記記録媒体が前記再生装置に挿入されてから、前記視聴期限もしくは前記視聴期限後所定期間経過するまで、の間に、前記記録媒体から前記復号鍵を前記再生装置上に移動する復号鍵退避ステップと、
所定のイベントが発生した際に、前記視聴期限もしくは前記視聴期限後前記所定期間経過時点を超過していなければ、前記復号鍵を前記記録媒体上に復帰させ、前記視聴期限もしくは前記視聴期限後前記所定期間経過時点を超過していれば、前記復号鍵を前記記録媒体上に復帰させない復号鍵復帰ステップと、を備えたコンテンツの保護方法である。
【００２４】
また、第２の本発明は、
前記復号鍵を移動するとは、前記記録媒体上の前記復号鍵を前記再生装置上に複写し、前記記録媒体上の前記復号鍵を無効化することであり、
前記復号鍵を復帰させるとは、前記無効化した前記記録媒体上の前記復号鍵を有効化することである、第１の本発明のコンテンツの保護方法である。
【００２５】
また、第３の本発明は、
前記復号鍵退避ステップでは、前記復号鍵の移動は、前記コンテンツを再生開始する際に実行される、第１の本発明のコンテンツの保護方法である。
【００２６】
また、第４の本発明は、
前記復号鍵退避ステップでは、前記復号鍵の移動は、前記視聴期限もしくは前記視聴期限後前記所定期間経過時点に達した際に実行される、第１の本発明のコンテンツの保護方法である。
【００２７】
また、第５の本発明は、
前記復号鍵退避ステップでは、前記復号鍵の移動を行うことに代えて、前記視聴期限もしくは前記視聴期限後前記所定期間経過時点に達した際に、前記記録媒体の前記復号鍵を無効化する、第１の本発明のコンテンツの保護方法である。
【００２８】
また、第６の本発明は、
前記所定のイベントとは、前記コンテンツの再生動作を完了すること、前記再生動作の完了後に前記記録媒体が前記再生装置から外されること、または前記コンテンツの再生中に再生中断指示があることである、第１の本発明のコンテンツの保護方法である。
【００２９】
また、第７の本発明は、
前記復号鍵復帰ステップにおいて、前記所定のイベントが発生した際に、前記視聴期限を超過していれば、前記再生装置上の前記復号鍵を無効化する、第１の本発明のコンテンツの保護方法である。
【００３０】
また、第８の本発明は、
前記復号鍵復帰ステップにおいて、前記所定のイベントが発生していなくても、前記コンテンツの再生中に前記視聴期限が超過した場合には、前記再生装置上の前記復号鍵を無効化する、第７の本発明のコンテンツの保護方法である。
【００３１】
また、第９の本発明は、
前記コンテンツの再生中に前記視聴期限が超過した場合でも、前記コンテンツの再生動作が終了するまでの間は継続して復号再生動作が行われる、第８の本発明のコンテンツの保護方法である。
【００３２】
また、第１０の本発明は、
前記視聴期限情報が最初の視聴開始時点からの視聴可能な時間の長さを表す場合には、前記再生装置は、利用可能な時刻源を参照して前記時間の長さを再生可能終了時刻に変換する、第１の本発明のコンテンツの保護方法である。
【００３３】
また、第１１の本発明は、
前記再生装置が前記記録媒体から前記視聴期限情報を読み出せない、または読み出した前記視聴期限情報が使用できない場合には、前記コンテンツを前記記録媒体上から消去する、または、前記コンテンツを前記記録媒体上から消去せずに再生対象コンテンツとしてはユーザに提示しない、第１の本発明のコンテンツの保護方法である。
【００３４】
また、第１２の本発明は、
視聴期限情報を伴う暗号化されたコンテンツおよび前記コンテンツを復号する復号鍵が記録された記録媒体が挿入されるコンテンツ再生装置であって、
所定のイベントの発生を検知するイベント検知部と、
前記視聴期限情報を現在時刻と比較することにより、前記視聴期限を超過しているか否かを判定する視聴期限判定部と、
前記復号鍵を一時保存する復号鍵一時保存部と、
前記記録媒体から前記復号鍵を前記復号鍵一時保存部に移動し、前記復号鍵一時保存部に移動した前記復号鍵を前記記録媒体上に復帰させる復号鍵移動部と、
前記復号鍵の前記移動および前記復帰を制御するコンテンツ保護制御部と、
前記復号鍵を用いて前記コンテンツを復号して再生するコンテンツ再生部を備え、
前記コンテンツ保護制御部は、前記視聴期限判定部の判定結果および前記イベント検知部の検知結果を利用して、
前記記録媒体が挿入されてから、前記視聴期限もしくは前記視聴期限後所定期間経過するまで、の間に、前記復号鍵移動部によって、前記復号鍵を前記記録媒体から前記復号鍵一時保存部へ移動させ、
前記所定のイベントの発生が検知された際に、前記視聴期限もしくは前記視聴期限後前記所定期間経過時点を超過していなければ、前記復号鍵移動部によって前記復号鍵を前記記録媒体上に復帰させ、前記視聴期限もしくは前記視聴期限後前記所定期間経過時点を超過していれば、前記復号鍵を前記記録媒体上に復帰させないように制御する、コンテンツ再生装置である。
【００３５】
また、第１３の本発明は、
前記コンテンツ保護制御部は、前記コンテンツ再生部が前記コンテンツを再生開始する際に、前記復号鍵移動部によって前記復号鍵を移動させる、第１２の本発明のコンテンツ再生装置である。
【００３６】
また、第１４の本発明は、
前記コンテンツ保護制御部は、前記視聴期限判定部によって前記視聴期限もしくは前記視聴期限後前記所定期間経過時点に達したと判定された際に、前記復号鍵移動部によって前記復号鍵を移動させる、第１２の本発明のコンテンツ再生装置である。
【００３７】
また、第１５の本発明は、
前記コンテンツ保護制御部は、前記復号鍵移動部によって前記復号鍵を前記記録媒体から前記復号鍵一時保存部へ移動させることに代えて、前記視聴期限もしくは前記視聴期限後前記所定期間経過時点に達した際に、前記復号鍵移動部によって前記記録媒体の前記復号鍵を無効化させる、第１２の本発明のコンテンツ再生装置である。
【００３８】
また、第１６の本発明は、
前記所定のイベントとは、前記コンテンツ再生部が前記コンテンツの再生動作を完了すること、前記再生動作の完了後に前記記録媒体が前記コンテンツ再生装置から外されること、または前記コンテンツ再生部が前記コンテンツを再生中に再生中断指示があることである、第１２の本発明のコンテンツ再生装置である。
【００３９】
また、第１７の本発明は、
前記コンテンツ保護制御部は、前記イベント検知部によって前記所定のイベントの発生が検知された際に、前記視聴期限を超過していれば、前記復号鍵移動部によって前記復号鍵一時保存部に保存している前記復号鍵を無効化させる、第１２の本発明のコンテンツ再生装置である。
【００４０】
また、第１８の本発明は、
前記コンテンツ保護制御部は、前記イベント検知部によって前記所定のイベントの発生が検知されていないときでも、前記コンテンツ再生部が前記コンテンツを再生中に前記視聴期限判定部によって前記視聴期限が超過したと判定された場合には、前記復号鍵移動部によって前記復号鍵一時保存部に保存している前記復号鍵を無効化させる、第１７の本発明のコンテンツ再生装置である。
【００４１】
また、第１９の本発明は、
前記コンテンツ再生部は、前記コンテンツの再生中に前記視聴期限が超過したと判定された場合でも、前記コンテンツの再生動作が終了するまでの間は継続して復号再生動作を行う、第１８の本発明のコンテンツ再生装置である。
【００４２】
また、第２０の本発明は、
前記視聴期限情報が最初の視聴開始時点からの視聴可能な時間の長さを表す場合には、前記視聴期限判定部は、前記現在時刻を利用して前記時間の長さを再生可能終了時刻に変換する、第１２の本発明のコンテンツ再生装置である。
【００４３】
また、第２１の本発明は、
前記コンテンツ保護制御部は、前記記録媒体から前記視聴期限情報を読み出せない、または読み出した前記視聴期限情報が使用できない場合には、前記コンテンツを前記記録媒体上から消去する、または、前記コンテンツを前記記録媒体上から消去せずに再生対象コンテンツとしてはユーザに提示しないように制御する、第１２の本発明のコンテンツ再生装置である。
【００４４】
また、第２２の本発明は、
第１の本発明のコンテンツの保護方法の、前記記録媒体から前記復号鍵を前記再生装置上に移動する前記復号鍵退避ステップ、および、所定のイベントが発生した際に、前記視聴期限もしくは前記視聴期限後前記所定期間経過時点を超過していなければ、前記復号鍵を前記記録媒体上に復帰させる前記復号鍵復帰ステップをコンピュータに実行させるプログラムである。
【００４５】
また、第２３の本発明は、
第２２の本発明のプログラムを記録したプログラム記録媒体であって、コンピュータにより処理可能なプログラム記録媒体である。
【発明の効果】
【００４６】
本発明により、記録媒体上に記録された視聴期限付きのコンテンツの再生中に視聴期限が超過した場合に、その記録媒体を再生装置から引き抜いても悪意の解析や誤再生を防止できる、コンテンツの保護方法およびコンテンツ再生装置等を提供できる。
【図面の簡単な説明】
【００４７】
【図１】本発明の実施の形態１のコンテンツダウンロードシステムのブロック図
【図２】本発明の実施の形態１の、視聴期限付きコンテンツを再生する再生機のブロック図
【図３】本発明の実施の形態１の再生機において、ＳＤカード上の視聴期限付きコンテンツを再生する際の処理フローを示す図
【図４】従来のコンテンツダウンロードシステムのブロック図
【図５】従来の視聴期限付きコンテンツを再生する再生機のブロック図
【発明を実施するための形態】
【００４８】
以下に、本発明の実施の形態について、図面を参照しながら説明する。以下、図４および図５に示した従来例と同じ機能を持つ部分については同じ番号を付し、説明を省略する。
【００４９】
（実施の形態１）
図１に、本発明の実施の形態１のコンテンツダウンロードシステムのブロック図を示す。
【００５０】
コンテンツサーバ５００からのコンテンツのダウンロード方法、およびコンテンツ受信機５０２がダウンロードしたコンテンツを別のコンテンツ再生機で視聴するためにＳＤカード１０２に記録する方法は、図４で説明した従来のコンテンツダウンロードシステムと同様である。
【００５１】
ダウンロードされたコンテンツがコンテンツ受信機５０２によって記録されたＳＤカード１０２内のコンテンツを再生する再生機１００の再生方法が、図５で説明した従来例における再生機２００による再生方法と異なる。
【００５２】
図２は、本実施の形態１の視聴期限付きコンテンツの再生機のブロック図である。
【００５３】
本実施の形態１の再生機１００に挿入されるＳＤカード１０２には、従来例で説明したように、コンテンツ受信機５０２によってＣＰＲＭ形式で暗号化したコンテンツ１０３、暗号化コンテンツ１０３の復号に用いるタイトル鍵１０４、およびＣＰＳ形式に変換された視聴期限情報１０５が記録されている。
【００５４】
なお、再生機１００が、本発明の再生装置の一例にあたる。また、ＳＤカード１０２が本発明の記録媒体の一例にあたり、タイトル鍵１０４が本発明の復号鍵の一例にあたる。
【００５５】
視聴期限判定部３０１は、ＳＤカード１０２上の視聴期限情報１０５を時計１０１から得られる時刻情報（現在時刻）と比較することによって、暗号化コンテンツ１０３が視聴期限を超過しているか否かを判定する。
【００５６】
タイトル鍵保存部１０６は、ＳＤカード１０２上のタイトル鍵１０４を再生機１００内に一時保存する記録媒体であり、例えばＲＡＭなどである。
【００５７】
鍵移動部１１１は、コンテンツ保護制御部３０２の制御によって、ＳＤカード１０２上のタイトル鍵１０４をタイトル鍵保存部１０６に移動し、また、タイトル鍵保存部１０６に一時保存したタイトル鍵１０４をＳＤカード１０２上に書き戻す。
【００５８】
なお、鍵移動部１１１が本発明の復号鍵移動部の一例にあたり、タイトル鍵保存部１０６が本発明の復号鍵一時保存部の一例にあたり、また時計１０１が本発明の利用可能な時刻源の一例にあたる。
【００５９】
指示入力部３０３には、コンテンツの再生開始指示や再生停止指示などのユーザからの指示が入力される。例えば、リモコンなどによってこれらの指示が入力される。
【００６０】
カード挿入検知部３０４は、ＳＤカード１０２が再生機１００に挿入されたこと、および挿入されていたＳＤカード１０２が再生機１００から外されたことを検知する。
【００６１】
再生制御部３００は、コンテンツ復号部３０５によって、タイトル鍵保存部１０６に保存されたタイトル鍵１０４を用いて暗号化コンテンツ１０３を復号するように制御する。コンテンツ復号部３０５は、復号した結果の平文コンテンツをデコーダ１０９に出力し、デコーダ１０９は、その入力された平文コンテンツをＡＶ信号に変換してＡＶ出力１１０として出力する。
【００６２】
なお、再生制御部３００、コンテンツ復号部３０５およびデコーダ１０９を合わせた構成が、本発明のコンテンツ再生部の一例にあたる。
【００６３】
次に、図２および図３を用いて、本実施の形態１の再生機１００における、視聴期限付きコンテンツの再生方法について説明する。
【００６４】
図３は、ＳＤカード１０２に記録されている視聴期限付きの暗号化コンテンツ１０３を再生するときの、再生機１００における処理フローを示している。
【００６５】
指示入力部３０３にユーザからのコンテンツ再生開始指示が入力されると、その指示がコンテンツ保護制御部３０２へ通知される（ステップＳ１１）。
【００６６】
コンテンツ保護制御部３０２は、ユーザからのコンテンツ再生開始指示を受けると、視聴期限判定部３０１に指示して、暗号化コンテンツ１０３の視聴期限である視聴期限情報１０５をＳＤカード１０２から読み出させ、時計１０１から得られる時刻情報と比較することによって視聴期限超過を判定させる（ステップＳ１２）。
【００６７】
この指示を受けた視聴期限判定部３０１は、視聴期限超過の判定結果をコンテンツ保護制御部３０２に返すとともに、視聴期限が超過していた場合には暗号化コンテンツ１０３、タイトル鍵１０４および視聴期限情報１０５をＳＤカード１０２上から削除する（ステップＳ１８）。
【００６８】
視聴期限判定部３０１の判定結果を受けたコンテンツ保護制御部３０２は、視聴期限が超過していない場合には、鍵移動部１１１に指示してタイトル鍵１０４をＳＤカード１０２上からタイトル鍵保存部１０６に移動させる（ステップＳ１３）とともに、再生制御部３００にコンテンツの再生開始を指示する。
【００６９】
なお、タイトル鍵１０４をタイトル鍵保存部１０６に移動するステップＳ１３の処理が、本発明の復号鍵退避ステップの一例にあたる。
【００７０】
この指示を受けた再生制御部３００は、コンテンツ復号部３０５によって、ＳＤカード１０２上の暗号化コンテンツ１０３の復号を開始させる（ステップＳ１４）。
【００７１】
コンテンツ復号部３０５は、再生制御部３００から復号開始を指示されると、タイトル鍵保存部１０６からタイトル鍵１０４を読み出し、これを用いて、ＳＤカード１０２から読み出した暗号化コンテンツ１０３を復号するとともに、復号結果の平文コンテンツをデコーダ１０９に出力する。デコーダ１０９は、コンテンツ復号部３０５から出力された平文コンテンツをＡＶ信号に変換してＡＶ出力１１０として出力する。
【００７２】
指示入力部３０３にユーザからの再生停止指示が入力されるまで、または、コンテンツ再生がコンテンツ終端に到達してコンテンツの再生を停止するまでは、コンテンツ復号部３０５による復号処理およびデコーダ１０９によるデコード処理が継続され、ＡＶ出力１１０が継続して出力される（ステップＳ１５）。
【００７３】
コンテンツ再生が終端に到達すると、コンテンツ再生が終端に到達した旨が再生制御部３００からコンテンツ保護制御部３０２に通知され、コンテンツ保護制御部３０２は、視聴期限判定部３０１に指示して、その時点において暗号化コンテンツ１０３の視聴期限を超過しているか否かを判定させる（ステップＳ１６）。
【００７４】
視聴期限判定部３０１の判定結果を受けたコンテンツ保護制御部３０２は、このときに視聴期限が超過していない場合には、鍵移動部１１１に指示してタイトル鍵保存部１０６上に保存されているタイトル鍵１０４をＳＤカード１０２上に書き戻させる（ステップＳ１７）。
【００７５】
この、鍵移動部１１１によってタイトル鍵１０４をＳＤカード１０２上に復帰させるステップＳ１７の処理が、本発明の復号鍵復帰ステップの一例にあたる。
【００７６】
一方、このときに視聴期限が超過していた場合には、コンテンツ保護制御部３０２は、鍵移動部１１１に指示して、タイトル鍵１０４をＳＤカード１０２上に書き戻させることなく、タイトル鍵保存部１０６上に保存されているタイトル鍵１０４を消去させる。またこのとき、視聴期限判定部３０１は、暗号化コンテンツ１０３および視聴期限情報１０５をＳＤカード１０２上から削除する（ステップＳ１８）。
【００７７】
なお、ステップＳ１５において、指示入力部３０３にユーザからの再生停止指示が入力された場合も、コンテンツ再生が終端に到達した場合と同様の、上記で説明したステップＳ１６の処理を行う。
【００７８】
なお、ステップＳ１５において、コンテンツ再生が終端に到達することが、本発明の、コンテンツの再生動作を完了することの一例にあたり、指示入力部３０３にユーザからの再生停止指示が入力されることが、本発明の、コンテンツの再生中に再生中断指示があることの一例にあたる。
【００７９】
ここで、コンテンツの再生中（ステップＳ１５）に、悪意のユーザがＳＤカード１０２を再生停止指示なしに引き抜いた場合にどのような状態になるかは明白である。すなわち、鍵移動部１１１によるタイトル鍵１０４の書き戻し処理が行われないままにＳＤカード１０２が再生機１００から引き抜かれるため、引き抜かれたＳＤカード１０２上にはタイトル鍵１０４は存在しない。したがって、この場合に悪意のユーザがＳＤカード１０２上の記録データを解析して暗号化コンテンツ１０３を不正に復号しようとしても、タイトル鍵１０４がＳＤカード１０２上に存在しないため、復号ができないということになる。
【００８０】
なお、上記実施の形態１では、コンテンツ視聴中に視聴期限が超過した際の動作について触れなかったが、タイトル鍵保存部１０６上に保存されているタイトル鍵１０４は視聴期限が超過した時点で消去してもよく、この場合にもコンテンツ復号部３０５は復号動作を継続できるため、同様の効果が得られることは言うまでもない。
【００８１】
また、上記実施の形態１では、ユーザからの再生停止指示が入力された際に視聴期限が超過していなかった場合、鍵移動部１１１によってタイトル鍵１０４をＳＤカード１０２
上に書き戻すこととしたが、ユーザからの再生停止指示が入力されずにＳＤカード１０２が引き抜かれるときに視聴期限が超過していなかった場合には、カード挿入検知部３０４によってＳＤカード１０２が引き抜かれることを検知して、実際にＳＤカード１０２が引き抜かれる直前にタイトル鍵１０４をＳＤカード１０２上に書き戻すようにする。
【００８２】
また、上記実施の形態１では、ユーザからの再生開始指示が入力された際にＳＤカード１０２上のタイトル鍵１０４をタイトル鍵保存部１０６に移動することとしたが、ユーザからの再生開始指示が入力された際ではなく、コンテンツ保護制御部３０２が、再生制御部３００によってコンテンツ復号部２０５に暗号化コンテンツ１０３の復号を開始させる際（ステップＳ１４）に、視聴期限判定部３０１からの判定結果に応じて、タイトル鍵１０４をタイトル鍵保存部１０６に移動させる、または、暗号化コンテンツ１０３、タイトル鍵１０４および視聴期限情報１０５をＳＤカード１０２上から削除させる処理を行うようにしてもよい。
【００８３】
また、ユーザからの再生開始指示が入力された際および復号部２０５に復号を開始させる際の両方のタイミングで視聴期限の超過の判定を行うようにしてもよい。この場合、再生開始指示が入力された際には視聴期限が経過していなかったが復号を開始する際に視聴期限を超過していたときには、再生開始指示が入力された際にタイトル鍵１０４がタイトル鍵保存部１０６に移動され、復号を開始する際に、暗号化コンテンツ１０３および視聴期限情報１０５がＳＤカード１０２上から削除されることになる。したがって、この場合には、復号を開始する前に暗号化コンテンツ１０３が削除されるため、復号は行われず、暗号化コンテンツ１０３を再生しないで処理を終了する。
【００８４】
なお、ユーザからの再生開始指示が入力された際および復号を開始させる際のいずれのタイミングも、本発明の再生開始する際のタイミングの一例にあたる。
【００８５】
また、これらの再生開始する際のタイミングに限らず、カード挿入検知部３０４でＳＤカード１０２が挿入されたことを検知された以降、ユーザからの再生開始指示が入力されるまでの間の任意のタイミングにタイトル鍵１０４を移動するようにしてもよく、また、暗号化コンテンツ１０３を再生開始した後にタイトル鍵１０４を移動するようにしてもよい。暗号化コンテンツ１０３を再生開始した後にタイトル鍵１０４を移動する場合には、視聴期限に達したときまで、または、視聴期限後所定期間経過するまでの間に、タイトル鍵１０４を移動すればよい。このときの所定期間とは、例えば３秒や１０秒などの予め決めておいた期間であり、視聴期限の３秒経過後や視聴期限の１０秒経過後までにタイトル鍵１０４を移動すればよい。なお、暗号化コンテンツを再生開始した後にタイトル鍵１０４を移動する場合には、コンテンツ復号部３０５は、タイトル鍵保存部１０６に保存されたタイトル鍵１０４ではなく、ＳＤカード１０２上のタイトル鍵１０４を用いて暗号化コンテンツ１０３の復号を開始する。
【００８６】
また、コンテンツ保護制御部３０２は、ＳＤカード１０２上のタイトル鍵１０４をタイトル鍵保存部１０６に移動させるのではなく、視聴期限に達したとき、または、視聴期限後所定期間経過時点に達したときに、鍵移動部１１１によってＳＤカード１０２上のタイトル鍵１０４を削除させるようにしてもよい。この場合にもコンテンツ復号部３０５は復号動作を継続できるため、上記と同様の効果が得られる。
【００８７】
また、上記実施の形態１では、ステップＳ１３において、鍵移動部１１１によって、ＳＤカード１０２上のタイトル鍵１０４をタイトル鍵保存部１０６に移動することとした。すなわち、ＳＤカード１０２上のタイトル鍵１０４をタイトル鍵保存部１０６に複写するとともにＳＤカード１０２上のタイトル鍵１０４を削除することとしたが、このようにタイトル鍵１０４を「移動する」代わりに、ＳＤカード１０２上のタイトル鍵１０４をタイトル鍵保存部１０６に複写するとともにＳＤカード１０２上のタイトル鍵１０４を解読不能状態または読み出し不能状態などとしてＳＤカード１０２上のタイトル鍵１０４を無効化するようにしてもよい。そして、ステップＳ１７では、ＳＤカード１０２上にタイトル鍵１０４を書き戻す代わりに、ＳＤカード１０２上のタイトル鍵１０４を解読可能状態または読み出し可能状態などとしてＳＤカード１０２上のタイトル鍵１０４を有効化するようにして復帰させてもよい。
【００８８】
なお、ここで「無効化する」とは、ＳＤカード１０２上のタイトル鍵１０４を消去する場合も含み、「有効化する」とは、ＳＤカード１０２上から一旦削除したタイトル鍵１０４を再度記録する（書き戻す）場合も含むものである。
【００８９】
なお、本発明において「復号鍵を移動する」とは、ＳＤカード１０２上のタイトル鍵１０４をタイトル鍵保存部１０６に複写し、ＳＤカード１０２上のタイトル鍵１０４を無効化することを言い、「復号鍵を復帰させる」とは、無効化したＳＤカード１０２上のタイトル鍵１０４を有効化することを言う。
【００９０】
また、上記実施の形態１では、ステップＳ１７およびステップＳ１８において、タイトル鍵保存部１０６に保存していたタイトル鍵１０４を削除することとしたが、このとき、タイトル鍵保存部１０６に保存していたタイトル鍵１０４を削除するのではなく、解読不能状態または読み出し不能状態などとして無効化するようにしてもよい。またこのとき、タイトル鍵保存部１０６に保存していたタイトル鍵１０４については、削除等の処理をせずに、そのまま残すようにしてもよい。
【００９１】
また、上記実施の形態１では、視聴期限情報１０５は時刻情報である例を挙げたが、視聴期限はこれに限らない。すなわち、視聴期限情報１０５が、暗号化コンテンツ１０３の最初に再生開始した時点からの視聴可能な時間の長さを表している場合には、暗号化コンテンツ１０３を初めて再生する際の時計情報に視聴可能な長さを加えた日時を新たに視聴期限情報１０５として使用すれば、同様の効果が得られることは言うまでもない。この場合には、ステップＳ１７においてＳＤカード１０２上に視聴期限情報１０５が書き戻される場合には、視聴可能な長さではなく、視聴可能な時刻情報に変換されている。
【００９２】
なお、上記実施の形態１では、悪意を持って引き抜かれたＳＤカード１０２が再生機１００に挿入された場合の動作について説明しなかったが、挿入されたＳＤカード１０２上にタイトル鍵の存在しない暗号化コンテンツ１０３の存在を検出した再生機１００が当該コンテンツ１０３の削除を行えば、悪意の解析をより一層確実に防ぐことが可能なことは言うまでもない。
【００９３】
また、上記実施の形態１では、ＳＤカード１０２上のタイトル鍵１０４の読み書きの工程については簡略化して説明したが、タイトル鍵１０４がＳＤカード１０２上の認証領域に格納されていて、再生機１００とＳＤカード１０２との認証が成功しないと再生機１００から読み書きできない形態であっても同様の効果が得られることは言うまでもない。
【００９４】
また、上記実施の形態１では、暗号化コンテンツを記録して移動する記録媒体の一例としてＳＤカード１０２を用いることとしたが、書き換え可能で着脱のできる記録媒体であればよく、ＳＤカード以外のメモリカードや、ＤＶＤ−ＲＡＭなども本発明の記録媒体として使用できる。
【００９５】
なお、視聴期限判定部３０１、コンテンツ保護制御部３０２、鍵移動部１１１、および再生制御部３００などの処理は、再生機１００を制御するＣＰＵなどによってプログラムを実行させ、ソフトウェアによって処理させることができる。特にこれらの部分における処理をプログラムによって実行させることにより、タイトル鍵を移動するタイミングの変更など、コンテンツを保護する方法を容易に変更することができる。
【００９６】
なお、本発明のプログラムは、上述したコンテンツの保護方法の、前記記録媒体から前記復号鍵を前記再生装置上に移動する前記復号鍵退避ステップ、および、所定のイベントが発生した際に、前記視聴期限もしくは前記視聴期限後前記所定期間経過時点を超過していなければ、前記復号鍵を前記記録媒体上に復帰させる前記復号鍵復帰ステップの動作をコンピュータにより実行させるためのプログラムであって、コンピュータと協働して動作するプログラムである。
【００９７】
また、本発明のプログラム記録媒体は、上述したコンテンツの保護方法の、前記記録媒体から前記復号鍵を前記再生装置上に移動する前記復号鍵退避ステップ、および、所定のイベントが発生した際に、前記視聴期限もしくは前記視聴期限後前記所定期間経過時点を超過していなければ、前記復号鍵を前記記録媒体上に復帰させる前記復号鍵復帰ステップの動作をコンピュータにより実行させるためのプログラムを記録したプログラム記録媒体であり、コンピュータにより読み取り可能かつ、読み取られた前記プログラムが前記コンピュータと協働して利用されるプログラム記録媒体である。
【００９８】
また、本発明の上記「ステップの動作」とは、前記ステップの全部または一部の動作を意味する。
【００９９】
また、本発明のプログラムの一利用形態は、コンピュータにより読み取り可能な、ＲＯＭ等の記録媒体に記録され、コンピュータと協働して動作する態様であっても良い。
【０１００】
また、本発明のプログラムの一利用形態は、インターネット等の伝送媒体、光・電波等の伝送媒体中を伝送し、コンピュータにより読みとられ、コンピュータと協働して動作する態様であっても良い。
【０１０１】
また、上述した本発明のコンピュータは、ＣＰＵ等の純然たるハードウェアに限らず、ファームウェアや、ＯＳ、更に周辺機器を含むものであっても良い。
【０１０２】
なお、以上説明した様に、本発明の構成は、ソフトウェア的に実現しても良いし、ハードウェア的に実現しても良い。
【産業上の利用可能性】
【０１０３】
本発明に係るコンテンツの保護方法およびコンテンツ再生装置等は、記録媒体上に記録された視聴期限付きのコンテンツの再生中に視聴期限が超過した場合に、その記録媒体を再生装置から引き抜いても悪意の解析や誤再生を防止できる効果を有し、着脱可能な記録媒体に視聴期限情報とともに書きこまれた暗号化コンテンツを再生する、コンテンツ再生装置およびコンテンツの保護方法等として有用である。
【符号の説明】
【０１０４】
１００  再生機
１０１  時計
１０２  ＳＤカード
１０３  暗号化コンテンツ
１０４  タイトル鍵
１０５  視聴期限情報
１０６  タイトル鍵保存部
１０７  視聴期限判定部
１０８  コンテンツ復号部
１０９  デコーダ
１１０  ＡＶ出力
１１１  鍵移動部
１１２  再生制御部
１１５  暗号化コンテンツ
２００  再生機
２０１  鍵読み出し部
３００  再生制御部
３０１  視聴期限判定部
３０２  コンテンツ保護制御部
３０３  指示入力部
３０４  カード挿入検知部
３０５  コンテンツ復号部
５００  コンテンツサーバ
５０１  ＤＲＭサーバ
５０２  コンテンツ受信機
５０５  コンテンツ鍵
５０７  ＤＲＭ復号部
５０８  ＣＰＳ暗号化部
５０９  視聴条件変換部
６００  視聴期限情報
【図１】
2011109444.tif 000003
【図２】
2011109444.tif 000004
【図３】
2011109444.tif 000005
【図４】
2011109444.tif 000006
【図５】
2011109444.tif 000007